(57)【要約】  本発明の課題は、目視不能な不正なボトルの開放及び再閉鎖を防止することのできる、ボトルのための安全なスクリュー閉鎖部材を提供することである。この課題は本発明によれば、スクリュー閉鎖部材を成すキャップ基部に、キャップ周壁に対して同心的に円筒体が配置されていることにより解決される。【特許請求の範囲】
【請求項１】
ボトルのためのスクリュー閉鎖部材であって、セーフティ帯を有しており、スクリュー閉鎖部材はキャップから形成されており、キャップは基部を有しており、該基部には円筒状の周壁が配置されていて、該周壁の内面にはねじ山が設けられており、セーフティ帯はウエブを介して前記周壁に結合されている形式のものにおいて、
基部（３１）に、前記周壁（３２）に同軸的に円筒体（５）が配置されていることを特徴とする、ボトルのためのスクリュー閉鎖部材。
【請求項２】
円筒体（５）が中空である、請求項１記載のスクリュー閉鎖部材。
【請求項３】
円筒体（５）が、前記基部（３１）とは反対の側で閉じられている、請求項１又は２記載のスクリュー閉鎖部材。
【請求項４】
円筒体（５）がねじ山（５２）を有している、請求項１から３までのいずれか１項記載のスクリュー閉鎖部材。
【請求項５】
ボトルのためのスクリュー閉鎖部材であって、セーフティ帯を有しており、スクリュー閉鎖部材はキャップから形成されており、キャップは基部を有しており、該基部には円筒状の周壁が配置されていて、該周壁の内面にはねじ山が設けられており、セーフティ帯はウエブを介して前記周壁に結合されている形式のものにおいて、
閉鎖部材がシュリンクフィルム（７）によって取り囲まれていることを特徴とする、ボトルのためのスクリュー閉鎖部材。
【発明の詳細な説明】
【技術分野】
【０００１】
本発明は、ボトルのためのスクリュー閉鎖部材であって、セーフティ帯を有しており、スクリュー閉鎖部材はキャップから形成されており、キャップは基部を有しており、該基部には円筒状の周壁が配置されていて、該周壁の内面にはねじ山が設けられており、セーフティ帯はウエブを介して前記周壁に結合されている形式のものに関する。
【０００２】
冒頭で述べた形式のボトルのためのスクリュー閉鎖部材は公知である（例えばＷＯ９８／１５４６５Ａ１参照）。スクリュー閉鎖部材は一方では、ボトルの確実な閉鎖を可能にし、ボトル内に存在する液体の流出を、最初に開放する前も、再び閉鎖した後も保証するという役割を有する。他方では、スクリュー閉鎖部材は、消費者に閉鎖部材の不法な開放を直接的に示し、ボトル内に存在する液体が取り出された可能性もしくは液中の不純物の可能性を明示するために、ボトルが一度開放されたことを示さなければならない。このために、セーフティ帯は、破壊可能に周壁に配置されている。閉鎖部材の最初の開放の際には、帯自体又はウエブの領域が裂断され、再び閉鎖された後もボトルの開放が直接的に目視可能である。
【０００３】
公知のボトル閉鎖部材は、与えられた役割を限定的にしか満たさない。確かに公知のボトル閉鎖部材は、再閉鎖後も密であり液体がボトルから流出することはないが、閉鎖部材に求められる第２の要求、即ち、不正な開放及び再閉鎖を示すという要求は、不十分にしか満たさない。即ち、セーフティ帯を破壊せずにボトルを開栓できる可能性があるので、ボトルに途中で上記したような開放の範囲で不純物が混入された恐れがあるにもかかわらず、ボトルは閉鎖されていて、飲料充填業者による充填後、再度開かれていないかのような外観を呈する。これによりセーフティ帯の機能は果たされない。
【０００４】
ここで本発明の手段が提供される。本発明の課題は、ボトルの不正な、視覚的に認識できない開放及び再閉鎖を防止する、ボトルのためのスクリュー閉鎖部材を提供することである。本発明によればこの課題は、キャップの基部に、キャップの周壁に対して同心的に円筒体が配置されていることにより解決される。
【０００５】
本発明によれば、ボトルの視覚的に認識できない開放及び再閉鎖を防止する、ボトルのためのスクリュー閉鎖部材が提供される。この閉鎖部材は、ボトルネックに切り込みを入れたり、ボトルネックが加熱された場合に、周壁に対して同心的に配置された円筒体により、押しつぶしが防止される。その結果、ボトルねじ山の直径が縮小されて、セーフティ帯を破壊せずに通過することが阻止される。むしろ、ボトルネックが加熱されたり、切り込みが入れられた状態での引き出しにより、セーフティ帯は破壊若しくは裂断され、これによりセーフティ帯はその機能を果たす。
【０００６】
本発明の構成では円筒体は中空である。円筒体が中空に形成されていることにより一方では極めて安価な製造が、他方では、円筒体のための所要材料が僅かであることにより、閉鎖部材の重量が、先行技術により公知の閉鎖部材と同程度になる。
【０００７】
円筒体が基部とは反対の側で閉じられていると有利である。円筒体の閉じられた構成により、開かれた構成よりも高い安定性が得られる。これにより、ねじ嵌められたキャップにおいてボトルネックが著しく加熱された場合でも変形はほぼ回避され、これにより不正な開放及び再閉鎖に対する安全性がさらに高まる。
【０００８】
有利には、円筒体がねじ山を有している。円筒体にねじ山を設けることにより、閉鎖状態での閉鎖部材の安定性がさらに高まる。ねじ山は、それ自体が切り込むねじ山であってもよく、この場合、閉鎖部材をボトルに最初にねじ嵌める際に、ボトルネックに切り込んでいく。これとは異なり、製造者側で、ボトルネックの内面にねじ山を設けることもでき、このねじ山は、周壁に設けられたねじ山と対応する。
【０００９】
本発明の課題はさらに、閉鎖部材がシュリンクフィルムによって取り囲まれている、セーフティ帯を備えたボトルのためのスクリュー閉鎖部材により解決される。シュリンクフィルムを使用することにより、シュリンクフィルムを破壊することなしにボトルを開放するのは殆ど不可能である。シュリンクフィルムを破壊せずにボトルが開放できたとしても、フィルムを再び、目に見える変化なしにボトルに配置するのは不可能であるので、消費者にはボトルが既に前もって開放されたことが一目瞭然である。
【００１０】
本発明の別の構成は、従属請求項に記載されている。本発明の一実施例を図面に示し以下に詳しく説明する。
【図面の簡単な説明】
【００１１】
【図１】スクリュー閉鎖部材の縦断面図である。
【図２】別の構成のスクリュー閉鎖部材の縦断面図である。
【図３】さらに別の構成のスクリュー閉鎖部材の縦断面図である。
【００１２】
実施例として選ばれたボトルのためのスクリュー閉鎖部材１には、セーフティ帯２が設けられている。スクリュー閉鎖部材１はキャップ３から成っており、キャップ３は基部３１を有している。この基部３１には円筒状の周壁３２が配置されている。周壁３２の内面には雌ねじ山３３が設けられている。
【００１３】
スクリュー閉鎖部材１の周壁３２はウエブ４を介してセーフティ帯２に結合されている。セーフティ帯２の内面には、保持突起２１が配置されており、この保持突起２１は、スクリュー閉鎖部材１がボトルにねじ嵌められた状態では、ボトルネックに配置されたリブに後方から係合する。保持突起２１の、基部３１とは反対の面に導入傾斜部２２が設けられており、この導入傾斜部２２により、閉鎖部材１をボトルに破損することなくねじ嵌めることができる。これに対し、保持突起２１の、キャップ３の基部３１に面した側はほぼ水平に形成されているので、閉鎖部材１の開放の際には、ボトルネックに配置されたリブに引っかかったままとなる。これにより、セーフティ帯２が意図的に破壊されたときにのみボトルの機能形式にかなった開放が可能となる。
【００１４】
キャップ３の基部３１には、周壁３２に対して同心的に円筒体５が配置されている。円筒体５の高さは、ウエブ４と周壁３２とセーフティ帯２が結合した状態の高さにほぼ相当している。従って円筒体５は、ボトルネックのリブの領域にまで突出している。円筒体５の外径は、ボトルネックの内径にほぼ相当しているので、ねじ嵌められた状態では、ボトルネックのねじ山は、キャップ３の周壁３２と円筒体５との間にガイドされている。
【００１５】
この実施例では円筒体５は中空に形成されている。円筒体５は、基部３１とは反対の側で、底部５１によって閉じられている。図３の実施例では、円筒体５は雄ねじ山５２を有している。雄ねじ山５２は、それ自体が切り込むように形成されていても良く、従って、ねじ嵌める際にボトルネックの内面を切り込む。しかしながら、ボトルネックの内面に設けられたたねじ山に対応するように構成することもできる。この場合、ボトルネックの内面に設けられたねじ山のピッチは、キャップ３の雌ねじ山３３のピッチに相当する。
【００１６】
さらに別の実施例では、スクリュー閉鎖部材１に同様にセーフティ帯２が設けられている。このスクリュー閉鎖部材１は、図１の実施例と同様にキャップ３から成っている。キャップ３とセーフティ帯２との間には同様にウエブ４が設けられている。しかしながらこの実施例のスクリュー閉鎖部材１は円筒体を有していない。そうではなく閉鎖部材１はシュリンクフィルム７によって取り囲まれている。シュリンクフィルム７は、ボトルの外面上に延びていて、閉鎖部材１と、略示されたボトルネックを覆っていることがわかる。
【００１７】
内部に配置された円筒体５を有した本発明によるスクリュー閉鎖部材１によれば、セーフティ帯２を破壊することなくボトルネックのねじ山を取り外す目的で、ねじ山を備えたボトルネックを押しつぶすことを阻止する。円筒体５の外径がボトルネックの内径にほぼ相当していることにより、直径が縮小するような変形は良好に阻止される。図３の実施例ではさらに、円筒体５にねじ山５２が設けられていることにより形状接続的な結合が得られ、セーフティ帯２を破壊せずにボトルネックのねじ山を取り外すことがさらに困難になる。
【００１８】
シュリンクフィルム７を備えた実施例では、スクリュー閉鎖部材１の開放は、シュリンクフィルム７の破壊を結果として伴う。スクリュー閉鎖部材１を、シュリンクフィルム７の破壊なしに開放できた場合、スクリュー閉鎖部材１とシュリンクフィルム７によってボトルを再び閉鎖することは確かに基本的には可能であるが、既に開放されたボトルであることを消費者が簡単に見分けることができる可視的な軌跡がフィルムに残される。
【図１】
2011523921.tif 000002
【図２】
2011523921.tif 000003
【図３】
2011523921.tif 000004
【国際調査報告】
2011523921.tif 000005
2011523921.tif 000006
2011523921.tif 000007
2011523921.tif 000008
2011523921.tif 000009
2011523921.tif 000010
2011523921.tif 000011
2011523921.tif 000012
2011523921.tif 000013
2011523921.tif 000014
2011523921.tif 000015
2011523921.tif 000016